(57)【特許請求の範囲】
【請求項１】
胸増芯における胸増芯本体が上衣前身頃に芯据えされた際に、ラペル返り線に対して前身頃側に位置する胸部とラペル返り線を越えてラペル側に位置する持出し部とからなり、前記胸部と持出し部とが１枚の生地で形成され、持出し部の持出し巾が２〜４cmであり、前記持出し部の長手方向の縁に沿ってスクイ縫い用テープが取着されていることことを特徴とする胸増芯。
【請求項２】
前記胸部分のラペル返り線に対応する箇所に接着テープが取着されていることを特徴とする請求項１記載の胸増芯。
【請求項３】
ラペルを有する上衣において、前身頃の内部に胸増芯が入っており、該胸増芯における胸増芯本体が胸部と持出し部とからなり、前記胸部と持出し部とが１枚の生地で形成され、持出し部の持出し巾が２〜４cmであり、前記持出し部の縁部がラペル返り線を越えてラペル内に位置しており、前記持出し部の長手方向の縁に沿ってスクイ縫い用テープが取着されていることを特徴とする上衣。
【発明の詳細な説明】
【０００１】
【発明の属する技術分野】
本発明は、上衣の形を整えるため前身頃において表生地と裏地との間に据えられる胸増芯に関するものである。
【０００２】
【従来の技術】
従来から、背広の上着やブレザー、ジャケットなどの上衣において成形性、審美性、機能性等をよくするために様々な芯地を入れることが行われている。この中で胸増芯は上衣の胸部の形を整えるために使用されるもので、１枚または複数枚の芯地を重ね合わせて作られている。
【０００３】
従来使用されている胸増芯は、その上端は肩線から始まり、袖刳りの部分からラペル返り線の手前までの巾で、通常背広の第１ボタン付近まで延びるように形成されている。このように従来の胸増芯はラペル返り線より内側、（すなわち、身頃側）の箇所までである。このような胸増芯は取付け易く、作業が容易であり、従って生産コストが低減する。
【０００４】
一方、台芯や胸増芯とは別にラペルの箇所にラペル芯を入れて、ラペル全体を芯入りとしたものもある。このようにラペル全体に芯を入れた場合は、ラペル返り線も含め衿全体にボリューム感が出る。
【０００５】
【発明が解決しようとする課題】
しかしながら、従来の胸増芯を用いた場合は衿のラペルの部分、特にラペル返り線の箇所には台芯のみであるのでペーパーライク（薄ペラな感じ）で、ボリューム感が出ないという欠点がある。
【０００６】
また、前述したようにラペル全体に芯を入れる場合はハ刺（スクイ縫いの一種）ミシンをする必要がある。このため生産性が上がらず、コスト高となるという問題がある。
【０００７】
本発明は前述したような従来の問題点を解決することであり、ラペル返り線の部分にボリューム感を持たせることにより、衿全体にボリューム感を持たせるとともに、芯据え作業が容易で、生産性が上がるような胸増芯を提供することを目的とする。
【０００８】
【課題を解決するための手段】
本発明は、胸増芯における胸増芯本体が上衣前身頃に芯据えされた際に、ラペル返り線に対して前身頃側に位置する胸部とラペル返り線を越えてラペル側に位置する持出し部とからなり、前記胸部と持出し部とが１枚の生地で形成され、持出し部の持出し巾が２〜４cmであり、前記持出し部の長手方向の縁に沿ってスクイ縫い用テープが取着されていることことを特徴とする胸増芯により前記目的を達成する。
【０００９】
【実施例】
以下、本発明の詳細を実施例に基いて説明する。図１から図３は本発明の第１実施例の図面であり、図１は右前身頃用の胸増芯の正面図（表生地側に向く面の図）である。図２は図１に示した胸増芯を裏返して表生地に載せた状態を示す背面図である。図３は左側前身頃の表生地側から見た正面図であり、見返しの部分が取付けられていない状態で示されている。
【００１０】
図１に示すように、本発明の胸増芯１は上衣の前身頃に芯据えされた場合に、ラペル返り線６（図２、図３参照）に対して前身頃側に位置する胸部１ａとラペル返り線６を越えてラペル側に位置する持出し部１ｂとから構成されている。これらの胸部１ａと持出し部１ｂは１枚の生地で形成される。
【００１１】
持出し部の持出し巾Ｌは２〜４ｃｍ、好ましくは２．５〜３．５ｃｍである。あまり巾Ｌが広過ぎると持ち出し部が浮いてしまうためこの程度とする。また、巾Ｌが狭過ぎても十分なボリューム感を持たせることができない。持出し巾Ｌの寸法は服のサイズやラペルの形状、台芯の素材（ハリ）等を考慮して前記範囲内で適宜選定する。
【００１２】
ラペル返り線６に沿って胸部１ａに返り線用接着テープ２が縫付けられている。返り線用接着テープ２は片面に、すなわち、図１に示した状態では表面に、接着剤が付けられている。この接着テープは後にプレスにより前身頃に胸増芯１を固定するために用いられる。
【００１３】
持出し部１ｂの箇所には、その持出し部１ｂの長手方向の縁に沿って、スクイ縫い用テープ３が持出し部１ｂの右端から、そのテープ３の巾の約半分が突出した状態で縫付けられている。なお、テープ２、３の巾は１〜２ｃｍ程度である。
【００１４】
図２は図１に示した胸増芯を裏返して前身頃の上においた状態を示している。この図２に示す実施例では、胸増芯１は胸増芯本体１１および増芯１２とにより構成されている。胸増芯本体１１は胸増芯１のなかで一番広い面積を有する芯地であり、胸部１ａおよび持出し部１ｂからなる。増芯１２は肩部から胸部にかけた厚みを増すための芯地であり、ラペル返り線６よりも内側（前身頃側）までしかない。
【００１５】
図２に示すように、前身頃の表生地４に台芯５が接着または縫着されており、その上に本発明の胸増芯１が据えられる。なお、明瞭にするために図２では台芯５に斜線を施している。胸増芯１はプレスを掛けることによりラペル返り線６に沿った接着テープ２により前身頃の台芯５に接着固定される。
【００１６】
また、その持出し部１ｂに取付けたテープ３の先端部をルイスミシン（一種のスクイ縫いミシン）によりルイスカラゲ（スクイ縫いの一種）８して、ラペル７の部分に縫付ける。このように接着テープ２およびスクイ縫い用テープ３を使用すると、身頃に止める際に位置決めが容易であり、熟練が不要である。このため芯据え作業を迅速に行える。
【００１７】
胸増芯１の芯据えにおいて、胸増芯１は肩線の部分および袖刳りの部分で前身頃４、５に縫着されるが、前記２箇所のテープ２、３以外は浮いた状態とされる。このようにすると、芯の当たり（プレスした時に芯地の跡がつくこと）を防ぐことができる。
【００１８】
なお、胸増芯１を構成する芯地の枚数はこの実施例では２枚であるが、１枚または２枚に限られず、肩部あるいは胸部に複数枚の芯地をそれぞれ所望の形状で所望の箇所に配置し、胸増芯本体１１に縫付けて１つの胸増芯１としてもよい。
図３は本発明の胸増芯１を取付けた左前身頃の正面図であり、見返しが未だ縫付けられない状態を示している。図３に示すように、本発明の胸増芯１の持出し部１ｂは、ラペル返り線６を越えてラペル７の部位に位置している。持出し部１ｂは端部のテープ３をルイスカラゲ縫い８（スクイ縫いの一種）してラペル７の箇所に縫着されている。このように本発明の胸増芯１の持出し部１ｂはラペル返り線６のほぼ全長に亘って延びているので、ラペル返り線６の箇所はボリューム感が出る。
【００１９】
図４および図５は別の実施例を示すものである。図４は図１に示したものと同様の胸増芯１の正面図である。この実施例において、図１に示したものと異なっている点は、胸増芯１が胸部１ａだけではなく、上衣の第１ボタンより下方へ裾部近くまで延びて腹部１ｃが連続して形成されている点である。その他の点では第１実施例に示したものと同じである。この図４に示した胸増芯１を裏返して上衣の前身頃に配置した状態を図５に示している。前述した実施例と同様に、接着芯２によりラペル返り線に沿って胸増芯１が身頃側に接着され、スクイ縫い用テープ３によりラペル７に縫着されている。
【００２０】
図５に示すように、胸増芯１は胸増芯本体１１と部分増芯１２とからなっている。胸増芯本体１１は図４で説明したように、上衣の下端部まで延びた芯地となっている。また、図５に示す胸増芯１は、図４に示した胸増芯１の持出し部１ｂがラペル７の長さに合わせてカットされている状態を示している。
【００２１】
本発明の胸増芯１は、従来のものと同様に肩線および袖刳りの箇所で身頃に縫着されるが、その胸増芯１を据えつける前身頃の大きさに合わせて、従来と同様に適宜芯地をカットして使用すればよい。
【００２２】
【発明の効果】
本発明によれば、胸増芯はラペル返り線に沿って延びる持出し部が胸部と一体に形成されている。従って、ラペル返り線の箇所は胸増芯の持出し部があるため、ラペル（衿）がペーパーライクにならずソフトに仕上がり、ボリューム感が出る。また、ラペル返りが、衿付き毛芯と変らない出来上がりになる。
【００２３】
本発明によればラペル全体に芯地が入っている状態ではなく、ラペル返り線に沿ってその近辺だけ入っているので、ハ刺しミシンが不要である。このような高価な特殊ミシンが不要であるので、設備面に費用がかからない。
【００２４】
また、胸増芯のラペル側の縁にはスクイ縫い用テープ３が設けられており、このテープを縫着するに際して、吊りかげんに縫ったりとか、イセ込んだりとかという特殊なテクニックを必要とすることなく、スクイ縫いミシン（ルイスミシン）により通常に縫着するだけであるので、作業が迅速にでき、生産性が上がる。
【００２５】
このように本発明によれば、胸増芯の芯据えに際して、熟練を要さず、容易に芯据え作業を行うことができる。
【図面の簡単な説明】
【図１】本発明の右前身頃用の胸増芯の一実施例の正面図（表生地側に向く面の図）である。
【図２】図１に示した胸増芯を裏返して表生地に載せた状態を示す背面図である。
【図３】左側前身頃の表生地側から見た正面図であり、見返しの部分が取付けられていない状態で示されている。
【図４】本発明の右前身頃用の胸増芯の別の実施例の正面図（表生地側に向く面の図）である。
【図５】図４に示した胸増芯を裏返して表生地に載せた状態を示す背面図である。
【符号の説明】
１  胸増芯
２  返り線用接着テープ
３  スクイ縫い用テープ
４  表生地
５  台芯
６  ラペル返り線
７  ラペル
８  ルイスカラゲ
１ａ  胸増芯の胸部
１ｂ  胸増芯の持出し部
１１  胸増芯本体
１２  増芯
【図１】
0003561466.tif 000002
【図２】
0003561466.tif 000003
【図３】
0003561466.tif 000004
【図４】
0003561466.tif 000005
【図５】
0003561466.tif 000006